(57)【要約】【課題】光センサ、人感センサ等を用いることによってシステムが高価になることがなく、かつ制御対象の所定の機器を有する施設の状況に応じて所定の機器を適切に制御することが可能な構成を提供することを目的とする。【解決手段】施設の情報と施設の利用時間情報とを管理し、上記管理に係る施設の情報及び利用時間情報、当該利用時間情報が示す利用時間に係る気象情報並びに気象情報ごとに施設内の所定の機器の制御方法を規定した規定データに基づいて当該利用時間において施設内の所定の機器を制御する制御情報を生成し、制御情報に基づいて施設内の所定の機器を制御する構成を有する。【選択図】図１
2015139088.tif 000002
【特許請求の範囲】
【請求項１】
施設の情報と当該施設の利用時間を示す利用時間情報とを管理する施設情報管理手段と、
前記施設情報管理手段の管理に係る前記施設の情報及び前記利用時間情報、当該利用時間情報が示す前記利用時間に係る気象情報並びに気象情報ごとに施設内の所定の機器の制御方法を規定した規定データに基づいて当該利用時間において前記施設内の所定の機器を制御する制御情報を生成する制御情報生成手段と、
前記制御情報に基づいて前記施設内の所定の機器を制御する制御手段と、
を備えたことを特徴とする機器制御システム。
【請求項２】
前記施設の利用時間を受け付ける利用時間受付手段をさらに有することを特徴とする請求項１に記載の機器制御システム。
【請求項３】
前記制御情報は、前記施設内の所定の機器の前記利用時間における出力の制御に係る情報を含むことを特徴とする請求項１又は２に記載の機器制御システム。
【請求項４】
前記規定データは、施設のレイアウト及び気象情報ごとに決定された施設内の所定の機器の出力の制御に係るタイムスケジュールを含むことを特徴とする請求項１乃至３のうちの何れか一項に記載の機器制御システム。
【請求項５】
前記制御情報は、前記施設内の所定の機器の各々の制御に係る機器制御情報を含み、
前記制御手段は前記機器制御情報を前記施設内の所定の機器の各々に対し個別に送信することを特徴とする請求項１乃至４のうちの何れか一項に記載の機器制御システム。
【請求項６】
前記施設内の所定の機器は当該施設の照明器具であり、前記施設内の所定の機器の出力は当該施設の照明器具の光度であることを特徴とする請求項１乃至５のうちの何れか一項に記載の機器制御システム。
【請求項７】
施設の利用予約に係る予約情報を管理する情報管理装置と、
前記施設内の所定の機器を制御する機器制御装置とを有し、
前記情報管理装置は、
前記施設の利用時間を受け付ける利用時間受付手段と、
前記施設の情報と当該施設の利用時間を示す利用時間情報とを前記予約情報として管理する施設情報管理手段と、
前記施設情報管理手段の管理に係る前記施設の情報及び前記利用時間情報並びに当該利用時間情報が示す前記利用時間に係る気象情報を前記機器制御装置に送信する送信手段とを有し、
前記機器制御装置は、
前記送信手段から送信された前記施設の情報、前記利用時間情報及び前記気象情報並びに気象情報ごとに施設内の所定の機器の制御方法を規定した規定データに基づいて当該利用時間情報が示す前記利用時間において前記施設内の所定の機器を制御する制御情報を生成する制御情報生成手段と、
前記制御情報に基づいて前記施設内の所定の機器を制御する制御手段と、
を備えたことを特徴とする機器管理システム。
【請求項８】
施設の利用予約に係る予約情報を管理する情報管理装置と、
前記施設内の所定の機器を制御する機器制御装置と、
前記情報管理装置及び前記機器制御装置とネットワークを介して接続される機器管理装置と
を有し、
前記情報管理装置は、
前記施設の利用時間を受け付ける利用時間受付手段と、
前記施設の情報と当該施設の利用時間を示す利用時間情報とを前記予約情報として管理する施設情報管理手段と、
前記施設情報管理手段の管理に係る前記施設の情報及び前記利用時間情報並びに当該利用時間情報が示す利用時間に係る気象情報を前記機器管理装置に送信する送信手段とを有し、
前記機器管理装置は、
前記送信手段から送信された前記施設の情報、前記利用時間情報及び前記気象情報並びに気象情報ごとに施設内の所定の機器の制御方法を規定した規定データに基づいて当該利用時間情報が示す前記利用時間において前記施設内の所定の機器を制御する制御情報を生成する制御情報生成手段と、
前記制御情報を前記機器制御装置に送信する制御情報送信手段とを有し、
前記機器制御装置は、
前記送信された制御情報に基づいて前記施設内の所定の機器を制御する制御手段を有する
ことを特徴とする機器管理システム。
【請求項９】
施設情報管理手段が、施設の情報と当該施設の利用時間を示す利用時間情報とを管理するステップと、
制御情報生成手段が、前記施設情報管理手段の管理に係る前記施設の情報及び前記利用時間情報、当該利用時間情報が示す利用時間に係る気象情報並びに気象情報ごとに施設内の所定の機器の制御方法を規定した規定データに基づいて当該利用時間情報が示す前記利用時間において前記施設内の所定の機器を制御する制御情報を生成するステップと、
制御手段が、前記制御情報に基づいて前記施設内の所定の機器を制御するステップと、
を含むことを特徴とする機器制御方法。
【発明の詳細な説明】
【技術分野】
【０００１】
本発明は、機器制御システム、機器管理システム及び機器制御方法に関する。
【背景技術】
【０００２】
例えば特許文献１には蛍光灯型ＬＥＤ照明体がネットワーク接続されたシステムが記載されている。又特許文献１には蛍光灯型ＬＥＤ照明体内の光センサにより窓から入り込む外光の影響を加味した光環境を把握して照度を調整する点が記載されている。更に特許文献１には蛍光灯型ＬＥＤ照明体内の人感センサからの人感データに基づき、人の移動に合わせて移動先のスポットを照らすような照度制御が記載されている。
【０００３】
しかしながら特許文献１に記載の蛍光灯型ＬＥＤ照明体がネットワーク接続されたシステムにおいて、ネットワーク接続された照明体を制御する際に具体的にどのような情報に基づいて制御を行うのかの点について同文献には特に記載されていない。
【０００４】
又特許文献１に記載の光センサ、人感センサ等で得られた情報に基づいて蛍光灯型ＬＥＤ照明体の照度調整あるいは照度制御をおこなう構成では、光センサ、人感センサ等を用いるため、システムが高価なものになると考えられる。
【発明の概要】
【発明が解決しようとする課題】
【０００５】
そこで本発明は、光センサ、人感センサ等の使用によってシステムが高価になることがなく、かつ制御対象の所定の機器を有する施設の状況に応じて所定の機器を適切に制御することが可能な構成を提供することを目的とする。
【課題を解決するための手段】
【０００６】
上記の目的を解決するため、本発明の一つの特徴によれば、施設の情報と施設の利用時間を示す利用時間情報とを管理し、管理に係る施設の情報及び利用時間情報、当該利用時間情報が示す利用時間に係る気象情報並びに気象情報ごとに施設内の所定の機器の制御方法を規定した規定データに基づいて当該利用時間において施設内の所定の機器を制御する制御情報を生成し、制御情報に基づいて施設内の所定の機器を制御するようにした。
【発明の効果】
【０００７】
本発明によれば、光センサ、人感センサ等を用いることによってシステムが高価になることがなく、かつ制御対象の所定の機器を有する施設の状況に応じて所定の機器を適切に制御することが可能な構成を提供することができる。
【図面の簡単な説明】
【０００８】
【図１】本発明の第１実施例に係る機器管理システムの全体構成例を示すブロック図である。
【図２】図１の機器管理システムに含まれるスケジュール管理システム装置、機器管理制御中央装置及び機器管理制御装置の各々のハードウェア構成例を示すブロック図である。
【図３】図１の機器管理システムに含まれるスケジュール管理システム装置の機能構成例を示すブロック図である。
【図４】図３に示される天候情報（気象情報の一例）記憶部のデータ構成例を示す図である。
【図５】図３に示される時間管理情報記憶部のデータ構成例を示す図である。
【図６】図３に示される施設管理情報記憶部のデータ構成例を示す図である。
【図７】図３に示されるユーザ情報記憶部のデータ構成例を示す図である。
【図８】図１の機器管理システムに含まれる機器管理制御中央装置及び機器管理制御装置のそれぞれの機能構成例を示すブロック図である。
【図９】図８に示される定型データ記憶部のデータ構成例を示す図（その１）である。
【図１０】図８に示される定型データ記憶部のデータ構成例を示す図（その２）である。
【図１１】図８に示される定型データ記憶部のデータ構成例を示す図（その３）である。
【図１２】図８に示される定型データ記憶部のデータ構成例を示す図（その４）である。
【図１３】図１に示される機器管理システムによる処理の流れの一例を示す処理シーケンス図である。
【図１４】本発明の第２実施例に係る機器管理システムの全体構成例を示すブロック図である。
【図１５】図１４の機器管理システムに含まれるスケジュール管理システム装置の機能構成例を示すブロック図である。
【図１６】図１４の機器管理システムに含まれ機器管理制御装置の機能構成例を示すブロック図である。
【図１７】図１４に示される機器管理システムによる処理の流れの一例を示す処理シーケンス図である。
【発明を実施するための形態】
【０００９】
以下図とともに本発明の実施の形態について詳細に説明する。
［第１実施例］
まず図１乃至１３とともに本発明の第１実施例について説明する。
＜システム構成＞
図１に示す如く、本発明の第１実施例に係る機器管理システムは、相互にネットワークNWで通信可能に接続されたスケジュール管理システム装置１０、機器管理制御中央装置２０及び一又は複数の機器管理制御装置３１、３２、...を有する。なお、機器管理システムは機器制御システムの一例である。
【００１０】
ここで図１に示す機器管理システムは、例えばある事業所内の施設における照明器具の光度を制御するシステムであり、図示の施設I_J_K及び施設P_Q_Rは例えば、それぞれが同事業所内の、I号館、J階、K号室及びP号館、Q階、R号室である。なお、制御対象の照明器具を有する施設としては、上記のごとくの「部屋」に限られず、「廊下」等も含んでよい。又図１には説明の便宜上施設は上記２個のみが示されているが、実際には当該事業所には３個以上の施設が含まれ、各施設が当該機器管理システムの制御対象である照明器具を１個以上有するものとすることができる。又図１では説明の便宜上各施設には３個の照明器具（「制御対象機器」４１−１〜４１−３或いは４２−１〜４２−３）が含まれるように示されているが、各施設が有する制御対象の照明器具の個数は１以上であれば何個でもよいものとする。なお照明器具の光度は、所定の機器の出力の一例である。
【００１１】
スケジュール管理システム装置１０はユーザの利用予約登録に係る施設の予約情報である施設管理情報（図６参照）に基づき、第１の時間管理情報（図５参照）を生成する。当該第１の時間管理情報は、当該利用予約に係る施設の利用開始時刻と、上記施設管理情報の識別番号と同じ番号を有する実行タスクを含む。そして当該第１の時間管理情報に基づき、当該利用予約に係る施設の利用開始時刻が到来すると、該当する施設管理情報を参照し、当該利用予約に係る施設の識別番号及び施設の利用時間（利用開始から利用終了までの時間）を示す情報を取得する。さらに当該施設の利用時間について天候情報提供部（外部システム）８０から天候情報を取得し、上記した施設の識別番号及び施設の利用時間を示す情報（利用時間情報）と併せ、施設情報として機器管理制御中央装置２０に送信する。施設の識別番号は施設の情報の一例である。
【００１２】
機器管理制御中央装置２０はスケジュール管理システム装置１０から送信された施設情報に含まれる施設の識別番号及び天候情報に基づき、該当する定型データ（時刻ごとの各照明器具の光度値（％）のパターン）を抽出する。そして抽出した定型データと上記施設情報に含まれる施設の利用時間に基づき、当該利用時間における各照明器具の時刻ごとの光度値（％）を時刻ごとに分割して第２の時間管理情報を生成する。そして第２の時間管理情報のそれぞれを該当する時刻ごとに、該当する施設における機器管理制御装置（例えば機器管理制御装置３１）に送信する。第２の時間管理情報は制御情報の一例であり、又機器制御情報の一例でもある。
【００１３】
当該時刻における各照明器具の光度値（％）を受信した機器管理制御装置３１は、自機が制御すべき制御対象機器である各照明器具４１−１，４１−２，４１−３，...のそれぞれが該当する光度値（％）で発光するように制御する。
【００１４】
なお、ユーザは図３に示す如く、スケジュール管理システム装置１０の画面表示部１０１を介し、所望の施設の利用予約登録を行うことができる。ユーザによる施設の利用予約登録によって上記施設管理情報が生成される。
【００１５】
又スケジュール管理システム装置１０が天候情報を取得する天候情報提供部（外部システム）８０は天候情報記憶部８０１（図３参照）を有する。そして天候情報記憶部８０１には、例えば当該機器管理システムが属する地域における毎時０分の天候情報（図４参照）が格納される。
＜ハードウェア構成＞
図２は、図１に示すスケジュール管理システム装置１０、機器管理制御中央装置２０及び各機器管理制御装置３１，３２の各々に適用可能なハードウェア構成例を示す図である。
【００１６】
図２に示すように、上記各装置１０，２０，３１，３２は例えば以下の要素を備える。すなわち入力装置１、表示装置２、外部Ｉ／Ｆ３、ＲＡＭ（Random Access Memory）４、ＲＯＭ（Read Only Memory）５、ＣＰＵ（Central Processing Unit）６、通信Ｉ／Ｆ（InterFace）７、及びＨＤＤ（Hard Disk Drive）８などを備える。これら各要素はバスＢで相互に通信可能な態様で接続されている。
【００１７】
入力装置１はキーボードやマウスなどを含み、ユーザが当該装置１０，２０，３１，３２に各操作信号を入力するのに用いられる。表示装置２は、ディスプレイなどを含み、当該装置１０，２０，３１，３２による処理結果を表示する。なお、機器管理制御中央装置２０及び機器管理制御装置３１，３２の各々は、入力装置１及び表示装置２を含まなくてもよい。
【００１８】
通信Ｉ／Ｆ７は、当該装置１０，２０，３１，３２をネットワークに接続するインタフェースである。当該装置１０，２０，３１，３２は通信Ｉ／Ｆ７を介し他の装置との間でデータ通信等を行うことができる。
【００１９】
ＨＤＤ８はプログラムやデータを格納している不揮発性の記憶装置である。格納されるプログラムやデータには、装置全体を制御する基本ソフトウェアであるＯＳ（Operating System）、ＯＳ上で各種機能を提供するアプリケーションソフトウェアなどが含まれる。また、ＨＤＤ８は、格納しているプログラムやデータを所定のファイルシステム及び／又はＤＢ（DataBase）により管理している。スケジュール管理システム装置１０におけるＨＤＤ８は、例えば図３に示すユーザ情報記憶部１０２、施設管理情報記憶部１０３、時間管理情報記憶部１０５及び天候情報記憶部１０７として機能する。又機器管理制御中央装置２０におけるＨＤＤ８は、例えば図８に示す定型データ記憶部２０３及び時間管理情報記憶部２０５として機能する。
【００２０】
外部Ｉ／Ｆ３は外部装置とのインタフェースである。外部装置とは例えば記録媒体３ａである。当該装置１０，２０，３１，３２は、外部Ｉ／Ｆ３を介し、記録媒体３ａからの情報の読み取り及び／又は記録媒体３ａへの情報の書き込みを行う。記録媒体３ａとしては例えば以下のものが挙げられる。すなわち、フロッピー（商標又は登録商標）ディスク、ＣＤ（Compact Disk）、及びＤＶＤ（Digital Versatile Disk）、ならびにＳＤメモリカード（SD Memory card）やＵＳＢメモリ（Universal Serial Bus memory）などである。当該装置１０，２０，３１，３２の起動時に実行されるＢＩＯＳ（Basic Input/Output System）、ＯＳ設定用、ネットワーク設定用などのプログラムやデータが格納されている。ＲＡＭ４は、プログラムやデータを一時保持する揮発性の半導体メモリ（記憶装置）である。ＣＰＵ６は、上記記憶装置（例えば「ＨＤＤ８」や「ＲＯＭ５」など）から、プログラムやデータをＲＡＭ４上に読み出し、処理を実行することで、装置全体の制御や各種機能を実現する演算装置である。
【００２１】
ここで上記ＣＰＵ６が実現する各種機能とは、スケジュール管理システム装置１０においては、例えば図３に示す画面表示部１０１、スケジュール更新部１０４、施設情報送信部１０６及び天候取得部１０８のそれぞれが果たす機能である。なお画面表示部１０１の機能は、ＣＰＵ６が更に入力装置１及び表示装置２を用いて果たす。又施設情報送信部１０６及び天候取得部１０８の各々の機能は、ＣＰＵ６が更に通信Ｉ／Ｆ７を用いて果たす。又機器管理制御中央装置２０においてＣＰＵ６は、例えば図８に示す施設情報取得部２０１、抽出部２０２及び時間調整更新部２０４のそれぞれが有する機能を果たす。なお施設情報取得部２０１及び時間調整更新部２０４の各々の機能は、ＣＰＵ６が更に通信Ｉ／Ｆ７を用いて果たす。又機器管理制御装置３１，３２等においてＣＰＵ６は、例えば図８に示す調整切替部３０１が有する機能を果たす。なお調整切替部３０１の機能は、ＣＰＵ６が更に通信Ｉ／Ｆ７を用いて果たす。
＜スケジュール管理システム装置＞
スケジュール管理システム装置１０は図３に示す如く、画面表示部１０１、ユーザ情報記憶部１０２、施設管理情報記憶部１０３、スケジュール更新部１０４、時間管理情報記憶部１０５、施設情報送信部１０６、天候情報記憶部１０７及び天候取得部１０８を有する。スケジュール管理システム装置１０は情報管理装置の一例である。
【００２２】
画面表示部１０１は、スケジュール管理システム装置１０に対し上記のごとく所望の施設の利用予約登録を行う際に用いるユーザインタフェースを提供する。画面表示部１０１は利用時間受付手段の一例である。
【００２３】
ユーザ情報記憶部１０２は例えば図７に示す如くのユーザ情報を格納し、例えばユーザが画面表示部１０１から入力操作を行う際、画面表示部１０１が当該ユーザの認証を行う際等に用いられる。  
画面表示部１０１はユーザの操作によって入力される施設の利用予約登録に係る情報に基づき、例えば図６に示す如くの施設管理情報を生成し、施設管理情報記憶部１０３に格納する。図６に示す如く、施設管理情報記憶部１０３に格納される施設管理情報の各レコードは、「番号」、利用する施設の識別番号「施設」（施設設置場所）及び当該施設の利用時間「施設使用日時」（「施設使用開始日時」及び「施設使用終了日時」）等を含む。図３に示す如く、更に「利用者」、「設備情報」等の情報を含んでもよい。施設管理情報記憶部１０３は施設情報管理手段の一例である。
【００２４】
天候取得部１０８は外部システムである天候情報提供部８０にアクセスし、たとえば毎時０分の天候情報を取得して天候情報記憶部１０７に格納する。図４は天候情報記憶部１０７における格納情報の一例を示す。図４に示す如く、天候情報記憶部１０７に格納される天候情報の各レコードは、「番号」、年月日及び時刻を示す「日時」及び当該日時における天候情報「天候」を含む。当該天候情報は、例えば気象予測情報である。
【００２５】
スケジュール更新部１０４は施設管理情報記憶部１０３の各レコードを読み出して対応する実行タスクを生成し、該当する「施設使用開始日時」（「時刻」）と関連つけて第１の時間管理情報として時間管理情報記憶部１０５に格納する（図５参照）。例えば図５の例では、図６に示す施設管理情報の「番号」１〜３のそれぞれのレコードについて「実行タスク」１〜３をそれぞれ生成している。図６における施設管理情報のうち、例えば「番号」「１」のレコードでは、施設使用開始日時が２０１３年１２月２４日（午前）９時（「2012_12_24_9」）である。従って図５において対応する実行タスク「１」の「時刻」は同じく「９」（時）となる。
【００２６】
そしてスケジュール更新部１０４は、時間管理情報記憶部１０５に格納された第１の時間管理情報の各レコードの「時刻」を現在時刻と比較する。そして当該「時刻」が現在時刻に一致するタイミングで、該当するレコードの「実行タスク」の番号をキーとして施設管理情報記憶部１０３を検索し、得られた施設管理情報のレコードにおける「施設」の識別番号を取得する。
スケジュール更新部１０４は又、現在日時をキーとして天候情報記憶部１０７を検索して該当する天候情報を取得し、上記取得した「施設」の識別番号と併せて施設情報を生成し施設情報送信部１０６に渡す。施設情報送信部１０６は渡された施設情報を機器管理制御中央装置２０に送信する。施設情報送信部１０６は送信手段の一例である。
【００２７】
例えば現在日時が２０１３年１２月２４日（午前）９時であるとする。この場合、スケジュール更新部１０４は当該「時刻」を有する時間管理情報記憶部１０５の「番号」「１」のレコードを参照し、「実行タスク」「１」を得る。次に施設管理情報記憶部１０３において同じ「番号」「１」のレコードを参照し、同レコード上の「施設」「1_2_3」及び「施設使用日時」「2013_12_24_9-2013_12_24_12」（２０１３年１２月２４日（午前）９時〜１２時）を取得する。スケジュール更新部１０４は更に、上記取得された「施設使用日時」の開始時刻「2013_12_24_9」（２０１３年１２月２４日（午前）９時）をキーに天候情報記憶部１０７を検索し、該当する「番号」「１」のレコード上の「天候」「曇り」を得る。従ってこの例の場合、スケジュール更新部１０４は、上記取得された「施設」「1_2_3」、「施設使用日時」「2013_12_24_9-2013_12_24_12」及び「天候」「曇り」のそれぞれの情報を含む施設情報を機器管理制御中央装置２０に送信することになる。
【００２８】
なお、「天候」は、例えば、雲量により３種類、例えば「快晴（雲量１割以下）」、「晴れ（雲量２割以上８割以下）」及び「曇り（雲量９割以上）」に分類することができる。
＜機器管理制御中央装置及び機器管理制御装置＞
図８に示す如く、機器管理制御中央装置２０は施設情報取得部２０１、抽出部２０２、定型データ記憶部２０３、時間調整更新部２０４及び時間管理情報記憶部２０５を有する。又各機器管理制御装置３０，３１は、調整切替部３０１を有する。機器管理制御中央装置２０及び各機器管理制御装置３１，３２は、機器制御装置の一例である。或いは、機器管理制御中央装置２０は機器管理装置の一例であり、各機器管理制御装置３１，３２は機器制御装置の一例である。
【００２９】
施設情報取得部２０１はスケジュール管理システム装置１０から送信された上記施設情報を受信すると同情報を抽出部２０２に渡す。上記例の場合、抽出部２０２は渡された施設情報のうち「施設」「1_2_3」及び「天候」「曇り」に基づいて定型データ記憶部２０３を検索し、該当する定型データ（時刻ごとの各照明器具の光度値（％）のパターン）を取得する。
【００３０】
定型データ記憶部２０３には、図９に示す如くの「施設」の識別番号と「レイアウト」の識別記号との対応関係を示すデータが格納されている。定型データ記憶部２０３には更に図１０に示す如くの「レイアウト」の識別記号及び「天候」と「時刻ごとの各ＬＥＤ照明の光度値（％）のパターン」の識別番号との対応関係を示すデータとが格納されている。定型データ記憶部２０３には更に、「時刻ごとの各ＬＥＤ照明の光度値（％）のパターン」（定型データ）自体が、上記「時刻ごとの各ＬＥＤ照明の光度値（％）のパターンの識別番号」と対応付けられて格納されている（図示を省略）。
【００３１】
図９のデータでは、図１に示す機器管理システムの管理対象である事業所に含まれる管理対象の施設の識別番号「1_1_1」、「1_1_2」、「1_1_3」、...、「1_2_1」、「1_2_2」、「1_2_3」、...に対し、それぞれの施設のレイアウトの識別記号が対応付けられている。例えば図９から、施設「1_1_1」（１号館、１階、１号室）のレイアウトは「Ａ」であり、施設「1_2_3」（１号館、２階、３号室）のレイアウトは「Ｂ」であることがわかる。
【００３２】
図１０のデータによれば、例えば天候「快晴」においてレイアウト「Ａ」の施設には「時刻ごとの各ＬＥＤ照明の光度値（％）のパターン」「１」を適用する。同様に、例えば天候「曇り」においてレイアウト「Ｂ」の施設には「時刻ごとの各ＬＥＤ照明の光度値（％）のパターン」「６」を適用する。
【００３３】
図１１、図１２は、それぞれ「定型データ」の例を示す。なお図１１，図１２において、「時刻［時］」として示す数字（９、１０，１１、...，１８）は、それぞれ当該数字が示す時刻から１時間の時間帯を指すものとする。例えば「９」は９〜１０時の時間帯、すなわち９時台を示す。
【００３４】
図１１は、天候「快晴」の場合にレイアウト「Ａ」の施設に適用する「時刻ごとの各ＬＥＤ照明の光度値（％）のパターン」（定型データ）「１」の例を示す。なお「時刻ごとの各ＬＥＤ照明の光度値（％）のパターン」は「施設内の所定の機器の出力の制御に係るタイムスケジュール」の一例である。即ち図１１は図１０における１番目の定型データ「１」の例を示す。
同様に図１２は、天候「曇り」の場合にレイアウト「Ｂ」の施設に適用する「時刻ごとの各ＬＥＤ照明の光度値（％）のパターン」（定型データ）「６」の例を示す。即ち図１０における６番目の定型データ「６」の例を示す。例えば図１２の例の場合、同図の左側に示すレイアウト「Ｂ」の施設が有する６個の照明器具（ＬＥＤ照明、図１２では「照明」）１〜６の光度は、それぞれ図１２の右側に示される如く、以下の通りである。
【００３５】
照明器具１：１００％（９〜１９時）
照明器具２：７０％（９〜１１時）、６０％（１１〜１３時）、７０％（１３〜１５時）、９０％（１５〜１７時）、１００％（１７〜１９時）
照明器具３：１００％（９〜１９時）
照明器具４：１００％（９〜１９時）
照明器具５：１００％（９〜１９時）
照明器具６：７０％（９〜１１時）、６０％（１１〜１３時）、７０％（１３〜１５時）、９０％（１５〜１７時）、１００％（１７〜１９時）
当該レイアウト「Ｂ」の場合、図１２の左側に示すように、６個の照明器具１〜６のうち、照明器具２，６はそれぞれ東側の窓ｗ１，ｗ２に近いため「曇り」でも日射の影響が強いと考えられる。したがって他の照明器具１、３〜５に比べ、日中（９〜１７時）の光度値（％）が低く設定されている。
【００３６】
ここで上記例の場合は上記のごとく、抽出部２０２は渡された施設情報のうち「施設」「1_2_3」及び「天候」「曇り」に基づいて定型データ記憶部２０３を検索し、該当する定型データ（時刻ごとの各照明器具の光度値（％）のパターン）を取得する。この場合、、まず上記図９のデータにより、上記「施設」「1_2_3」のレイアウトが「Ｂ」であることがわかる。次に上記図１０のデータにより、上記天候「曇り」の場合、当該レイアウト「Ｂ」には定型データ「６」（図１２）適用されることがわかる。
【００３７】
又抽出部２０２は、定型データ記憶部２０３から取得した定型データ（上記例の場合、上記のごとく定型データ「６」（図１２））のうち、実際の利用時間の分を抽出する。すなわち上記例の場合、施設情報取得部２０１から渡された施設情報のうちの「施設使用日時」「2013_12_24_9-2013_12_24_12」が示す利用時間９時〜１２時の時間帯の時刻ごとの各ＬＥＤ照明の光度値（％）を抽出して時間調整更新部２０４に渡す。時間調整更新部２０４は抽出部２０２から渡された利用時間９時〜１２時の時間帯の時刻ごとの各ＬＥＤ照明の光度値（％）を時刻ごとに（上記例の場合、毎時０分で）分割して第２の時間管理情報を生成する。抽出部２０２及び時間調整更新部２０４は制御情報生成手段の一例である。
【００３８】
上記例の場合、定型データ記憶部２０３から取得した定型データは上記のごとく定型データ「６」（図１２）である。当該定型データ「６」には。図１２に示す如く、ＬＥＤ照明の光度値（％）を制御する時間帯として９時〜１９時（１０時間）の時間帯が含まれている。したがってこの場合、抽出部２０２は当該時間帯９時〜１９時のうち、上記「施設使用日時」が示す利用時間９時〜１２時（３時間）の時間帯の分を抽出することになる。時間調整更新部２０４は抽出部２０２から定型データ「６」のうち、利用時間９時〜１２時の時間帯の時刻ごとの各ＬＥＤ照明の光度値（％）を受け取ると、毎時０分で分割して第２の時間管理情報を生成し、時間管理情報記憶部２０５に格納する。
上記例の場合、抽出部２０２は上記のごとく、図１２の定型データ「６」から当該利用時間９時〜１２時（３時間）の時間帯の分を抽出する。そして時間調整更新部２０４は当該利用時間９〜１２時（３時間）の分のデータを毎時０分で分割する。その結果、図１２の左側に示すレイアウト「Ｂ」における６個の照明器具（ＬＥＤ照明、図１２では「照明」）１〜６に係る、毎時０分で分割して得た計３組の光度値（％）、すなわち３組の第２の時間管理情報はそれぞれ以下の内容を有する。
「９時台（９〜１０時）の第２の時間管理情報」：
照明器具１：１００％
照明器具２：７０％
照明器具３：１００％
照明器具４：１００％
照明器具５：１００％
照明器具６：７０％
「１０時台（１０〜１１時）の第２の時間管理情報」：
照明器具１：１００％
照明器具２：７０％
照明器具３：１００％
照明器具４：１００％
照明器具５：１００％
照明器具６：７０％
「１１時台（１１〜１２時）の第２の時間管理情報」：
照明器具１：１００％
照明器具２：６０％
照明器具３：１００％
照明器具４：１００％
照明器具５：１００％
照明器具６：６０％
そして時間調整更新部２０４は時間管理情報記憶部２０５に格納した上記第２の時間管理情報を時刻ごとに該当する施設の機器管理制御装置に送信する。上記例の場合、上記３組の第２の時間管理情報「９時台の第２の時間管理情報」、「１０時台の第２の時間管理情報」及び「１１時台の第２の時間管理情報」を、それぞれ９時０分、１０時０分、１１時０分に、施設「1_2_3」の機器管理制御装置に送信する。ここでは施設「1_2_3」の機器管理制御装置を便宜上機器管理制御装置３１とする。
【００３９】
上記例の場合、当該３組の第２の時間管理情報を順次受信した機器管理制御装置３１の調整切替部３０１は、施設「1_2_3」の各照明器具の光度がそれぞれ第２の時間管理情報が示す光度値（％）となるように各照明器具１〜６を制御する。これらの照明器具１〜６は、図１における照明器具（制御対象機器）４１−１，４１−２，４１−３の一例である。
【００４０】
より詳細には、調整切替部３０１は、９〜１０時の間、上記「９時台の第２の時間管理情報」が示す光度値（％）で発光するように施設「1_2_3」の各照明器具１〜６を制御する。同様に１０〜１１時の間、上記「１０時台の第２の時間管理情報」が示す光度値（％）で発光するように施設「1_2_3」の各照明器具１〜６を制御する。同様に１１〜１２時の間、上記「１１時台の第２の時間管理情報」が示す光度値（％）で発光するように施設「1_2_3」の各照明器具１〜６を制御するのである。
【００４１】
具体的な照明器具の制御方法としては、例えば特許文献１の段落［0036］に記載されているように、照明器具に供給する電流値を制御する方法を採ることができる。又ＬＥＤ照明の光度値（％）とは、例えば当該ＬＥＤ照明の定格光度（カタログ値）を１００％とした場合の光度の割合（％）を意味するものとすることができる。
【００４２】
次に図１３のシーケンス図とともに、図１の機器管理システムにおける処理の流れの例について説明する。なお図１３に示す処理の流れは、施設の照明器具の制御をおこなう当日の早朝、例えば午前６時に開始されるものとする。施設の照明器具は施設内の所定の機器の一例である。
【００４３】
ステップＳ１にてスケジュール管理システム装置１０のスケジュール更新部１０４は、施設管理情報記憶部１０３から当日の施設管理情報を取得する。
【００４４】
次にステップＳ２にてスケジュール更新部１０４は、天候情報記憶部１０７から当日の天候情報を取得する。
【００４５】
次にステップＳ３にてスケジュール更新部１０４は、時間管理情報記憶部１０５から当日の第１の時間管理情報を取得する。
【００４６】
そしてステップＳ４にてスケジュール更新部１０４は、ステップＳ３で得た第１の時間管理情報の各レコードにおける「時刻」と現在時刻とを比較する。そして現在時刻に一致する「時刻」（規定時間）を有するレコード上の実行タスクの番号をキーとしてステップＳ１で得た施設管理情報を検索する。そして該当する施設管理情報のレコード上の「施設」の識別番号と「施設使用日時」とを得る。更に、ステップＳ２で得た天候情報を、現在時刻をキーに検索し、該当する現在時刻の「天候情報」を得る。そして上記「施設」の識別番号及び「施設使用日時」と併せて施設情報として機器管理制御中央装置２０に送信する。
【００４７】
ステップＳ５にて、機器管理制御中央装置２０の施設情報取得部２０１は上記施設情報を受信すると、受信した施設情報を抽出部２０２に渡す（ステップＳ６）。
【００４８】
抽出部２０２はステップＳ７にて、当該施設情報に含まれる「施設」の識別番号及び「天候情報」をキーとして定型データ記憶部２０３を検索する。そして該当する定型データから、上記施設情報に含まれる「施設使用日時」の時間帯の分の、時刻ごとの各ＬＥＤ照明の光度（％）を抽出する（ステップＳ８）。そして抽出した時刻ごとの各ＬＥＤ照明の光度（％）を時間調整更新部２０４に渡す（ステップＳ９）
時間調整更新部２０４は、渡された時刻ごとの各ＬＥＤ照明の光度（％）を時刻ごとに分割して第２の時間管理情報を生成する（ステップＳ１０）。
【００４９】
そして時間調整更新部２０４は、生成した第２の時間管理情報に基づき、時刻ごとに（上記例の場合毎時０分）、当該時刻以降所定時間（上記例の場合１時間）に係る第２の時間管理情報を抽出する。そして抽出した第２の時間管理情報を該当する施設の機器管理制御装置３１，３２に送信する（ステップＳ１１）。ここで該当する施設とは、上記施設情報に含まれる「施設」の識別番号で識別される施設である。
【００５０】
第２の時間管理情報を受信すると、機器管理制御装置３１，３２の調整切替部３０１は、制御対象機器である各ＬＥＤ照明（照明器具）が、受信した第２の時間管理情報が示す光度値（％）で発光するよう制御する（ステップＳ１２）。調整切替部３０１は制御手段の一例である。
【００５１】
より詳細には、上記例の場合、上記のごとく、調整切替部３０１は、９〜１０時の間、上記「９時台の第２の時間管理情報」が示す光度値（％）で発光するように施設「1_2_3」の各照明器具１〜６を制御する。同様に１０〜１１時の間、上記「１０時台の第２の時間管理情報」が示す光度値（％）で発光するように施設「1_2_3」の各照明器具１〜６を制御する。同様に１１〜１２時の間、上記「１１時台の第２の時間管理情報」が示す光度値（％）で発光するように施設「1_2_3」の各照明器具１〜６を制御するのである。
【００５２】
このように第１実施例に係る機器管理システムでは、ユーザによる利用予約登録に係る施設管理情報に基づいて施設の照明器具を制御するため、実際に制御が必要な施設の照明器具を当該施設の利用（予約）状況に応じて制御することができる。したがって必要最小限の制御動作で所期の目的を果たし得る。
【００５３】
又、第１実施例に係る機器管理システムでは、ユーザによる利用予約登録に係る施設管理情報に基づいて施設の照明器具を制御するため、別途光センサ、人感センサ等を設ける必要がない。更に、第１実施例に係る機器管理システムでは、各施設のレイアウトにおける窓の位置等を考慮して天候情報に応じた照明器具の制御のパターンを定型データとして自由に設定することができる。したがって、光センサ、人感センサ等を用いることなく、施設のレイアウト及び天候に応じた照明器具の制御を実現し得る。
【００５４】
なお、上記第１実施例では、図１０に示す如く、施設の「レイアウト」及び「天候」によって定型データを分類したが、このような分類方法に限定する必要はない。施設の「レイアウト」及び「天候」に加えて、或いは「天候」に代えて、当該施設を利用する「人数」によって定型データを分類するようにしても良い。すなわち上述のように天候に応じて照明器具の制御方法を決定するのに加えて、或いはそれに代えて、利用する「人数」に応じて照明器具の制御方法を決定するようにしてもよい。すなわち、利用する人数が多い場合、利用する人数が少ない場合に比して、施設がより広範囲にわたって使用されると考えられる。したがって利用する人数が多い場合には少ない場合に比して照明器具の光度が高い定型データを適用し得るよう、利用する人数に応じて照明器具の光度値が異なる定型データを用意することができる。その結果、利用する人数が多い場合には、施設において、より広範囲に光を至らしめることができ、多人数での利用でも不都合が起こらないようにすることができる。
【００５５】
又、季節の相違に応じて照明器具の制御方法を決定するようにしてもよい。すなわち、例えば冬季には夏期に比して日照時間が短いため、冬季には夏期に比して夕方の比較的早い時間帯に照明器具の光度を高められるよう、季節に応じて照明器具の光度値が異なる定型データを用意することができる。その結果、冬季において夕方の比較的早い時間帯に日射量が減少しても不都合が起こらないようにすることができる。
【００５６】
更に、施設によっては常時照明器具を点灯させる、人通りが少ない場所では照明器具の光度を下げる等、個々の施設の状況に応じて様々な定型データを用意することが可能である。
【００５７】
このように第１実施例に係る機器管理システムによれば、様々な観点から多種多様な定型データを用意することで、施設の様々な利用状況に対し、きめの細かい照明器具の制御を提供し得る。
【００５８】
なお、上述の第１実施例に係る機器管理システムでは、図１０等に示す如く、施設のレイアウトごとに定型データを用意したが、このような定型データに限られる必要はない。すなわち、施設をレイアウトで分類することなく、個々の施設ごとに定型データを用意してもよい。例えば制御対象の施設が２０個ある場合、定型データを当該２０個の施設ごとに計２０個用意する。そして当該２０個の定型データに対し、第１実施例におけるごとく更に天候の要素を加味し、あるいは上記のごとく、人数や季節等の要素も加味して適宜定型データを増やしてゆけばよい。
【００５９】
又、上述の第１実施例に係る機器管理システムでは、図１に示す如く、機器管理制御中央装置２０と機器管理制御装置３０，３１とが別体とされているが、このような構成に限定される必要はない。例えば機器管理制御中央装置２０と機器管理制御装置３０，３１とが一体とされてもよい。機器管理制御中央装置２０と機器管理制御装置３０，３１とが一体とされる実施例（第２実施例）について以下に説明する。
［第２実施例］
図１４乃至１７とともに本発明の第２実施例について説明する。
【００６０】
図１４に示す第２実施例に係る機器管理システムは、機器管理制御中央装置２０及び機器管理制御装置３１，３２のそれぞれの機能が、すべて機器管理制御装置５０に統合される点を除き、図１に示す第１実施例に係る機器管理システムと同様の構成を有する。したがって第１実施例と異なる点を主に説明し、重複する説明を適宜省略する。
＜システム構成＞
図１４に示す如く、本発明の第２実施例に係る機器管理システムは、相互にネットワークNWで通信可能に接続されたスケジュール管理システム装置１０及び機器管理制御装置５０を有する。
【００６１】
ここで図１４に示す機器管理システムも第１実施例同様、ある事業所内の施設における照明器具の光度を制御するシステムである。
【００６２】
スケジュール管理システム装置１０は第１実施例におけるものと同様の構成及び機能を有する。
【００６３】
機器管理制御装置５０は、スケジュール管理システム装置１０から送信される施設情報に含まれる施設の識別番号及び天候情報に基づいて、該当する定型データ（時刻ごとの各照明器具の光度値（％）のパターン）を抽出する。そして抽出した定型データと上記施設情報に含まれる施設の利用時間に基づき、当該利用時間における各照明器具の時刻ごとの光度値（％）を時刻ごとに分割して第２の時間管理情報を生成する。そして第２の時間管理情報のそれぞれに基づき、該当する時刻ごとに、自機が制御すべき制御対象機器である各照明器具４１−１，４１−２，４１−３，...，４２−１，４２−２，４２−３，...のそれぞれが該当する光度値（％）で発光するように制御する。
＜ハードウェア構成＞
図２は、図１４に示すスケジュール管理システム装置１０及び機器管理制御装置５０の各々に適用可能なハードウェア構成例をも示す。
機器管理制御装置５０は、入力装置１及び表示装置２を含まなくてもよい。
機器管理制御装置５０におけるＨＤＤ８は、例えば図１６に示す定型データ記憶部２０３及び時間管理情報記憶部２０５として機能する。
機器管理制御装置５０におけるＣＰＵ６は、プログラムを実行することで、例えば図１６に示す施設情報取得部２０１、抽出部２０２及び調整切替部２１０のそれぞれが有する機能を果たす。ただし施設情報取得部２０１及び調整切替部２１０の各々の機能は、ＣＰＵ６が更に通信Ｉ／Ｆ７を用いて果たす。
＜スケジュール管理システム装置＞
スケジュール管理システム装置１０は第１実施例におけるスケジュール管理システム装置１０と同様の構成及び機能を有する。
＜機器管理制御装置＞
図１６に示す如く、機器管理制御装置５０は施設情報取得部２０１、抽出部２０２、定型データ記憶部２０３、調整切替部２１０及び時間管理情報記憶部２０５を有する。これらのうち、施設情報取得部２０１、抽出部２０２、定型データ記憶部２０３及び時間管理情報記憶部２０５は、それぞれ第１実施例におけるものと同様の構成及び機能を有する。機器管理制御装置５０は機器制御装置の一例である。
【００６４】
第１実施例の説明で用いた例の場合、調整切替部２１０は抽出部２０２から施設の利用時間９時〜１２時の間の時刻ごとの各ＬＥＤ照明の光度値（％）を受け取る。そして調整切替部２１０は、受け取った情報を毎時０分で分割して第２の時間管理情報を生成し、時間管理情報記憶部２０５に格納する。
【００６５】
又調整切替部２１０は、上記３組の情報「９時台の第２の時間管理情報」、「１０時台の第２の時間管理情報」及び「１１時台の第２の時間管理情報」に基づき、それぞれ９時０分、１０時０分、１１時０分に、施設「1_2_3」の各照明器具１〜６を制御する。
【００６６】
より詳細には、調整切替部２１０は、９〜１０時の間、上記「９時台の第２の時間管理情報」が示す光度値（％）で発光するように施設「1_2_3」の各照明器具１〜６を制御する。同様に１０〜１１時の間、上記「１０時台の第２の時間管理情報」が示す光度値（％）で発光するように施設「1_2_3」の各照明器具１〜６を制御する。同様に１１〜１２時の間、上記「１１時台の第２の時間管理情報」が示す光度値（％）で発光するように施設「1_2_3」の各照明器具１〜６を制御するのである。
【００６７】
次に図１７のシーケンス図とともに、図１４の機器管理システムにおける処理の流れについて説明する。図１７に示す処理の流れも図１３同様、実際に施設における照明器具の制御をおこなう日の早朝、例えば６時に開始されるものとする。
【００６８】
ステップＳ１〜Ｓ９の処理は図１３におけるものと同様である。
【００６９】
調整切替部２１０は、抽出部２０２から渡された、「施設使用日時」を時刻ごとに分割して第２の時間管理情報を生成する（ステップＳ１０）。
【００７０】
そして調整切替部２１０は当該生成した第２の時間管理情報から、時刻ごとに（上記例の場合毎時０分）、当該時刻以降所定時間（上記例の場合１時間）に係る第２の時間管理情報を抽出する。そして該当する施設の各ＬＥＤ照明（照明器具）を、当該抽出した第２の時間管理情報が示す光度値（％）で上記時刻以降所定時間発光するよう制御する（ステップＳ２１）。調整切替部２１０は制御手段の一例である。
【００７１】
より詳細には、上記例の場合、上記のごとく、調整切替部２１０は、９〜１０時の間、上記「９時台の第２の時間管理情報」が示す光度値（％）で発光するように施設「1_2_3」の各照明器具１〜６を制御する。同様に１０〜１１時の間、上記「１０時台の第２の時間管理情報」が示す光度値（％）で発光するように施設「1_2_3」の各照明器具１〜６を制御する。同様に１１〜１２時の間、上記「１１時台の第２の時間管理情報」が示す光度値（％）で発光するように施設「1_2_3」の各照明器具１〜６を制御するのである。
【００７２】
すなわち第１実施例の場合、機器管理制御中央装置２０の時間調整更新部２０４が、生成した第２の時間管理情報を一旦、制御対象の施設の機器管理制御装置３１又は３２に送信する。そして第２の時間管理情報を受信した機器管理制御装置の調整切替部３０１が当該第２の時間管理情報を用いて照明器具を制御する。これに対し第２実施例の場合、機器管理制御装置５０の調整切替部２１０が、生成した第２の時間管理情報を用いて直接照明器具を制御する点が異なる。
【００７３】
なお上記第１実施例の説明において説明した第１実施例の作用効果は第２実施例においても同様に得ることができる。
【００７４】
又上述した第１実施例及び第２実施例のそれぞれのシステム構成例以外にも、用途や目的に応じて様々なシステム構成例があることは言うまでもない。
【００７５】
第１実施例及び第２実施例に係る機器管理システムの制御対象機器は照明器具であるものとして説明したが、制御対象機器は照明器具に限られず、施設が有する他の機器であっても良い。例えば施設が有する空調機器やＭＦＰ(MultiFunction Peripheral)等の事務機器等であってもよい。
【符号の説明】
【００７６】
１０  スケジュール管理システム装置
２０  機器管理制御中央装置
３１，３２  機器管理制御装置（第１実施例）
４１−１〜４１−３、４２−１〜４２−３  制御対象機器（照明器具、ＬＥＤ照明）
５０  機器管理制御装置（第２実施例）
８０  天候情報提供部
１０３  施設管理情報記憶部
１０４  スケジュール更新部
１０５  時間管理情報記憶部
１０７  天候情報記憶部
２０２  抽出部
２０３  定型データ記憶部
２０４  時間調節更新部（第１実施例）
２０５  時間管理情報記憶部
２１０  調整切替部（第２実施例）
３０１  調整切替部（第１実施例）
ＮＷ  ネットワーク
【先行技術文献】
【特許文献】
【００７７】
【特許文献１】特開2010-080139号公報
【図１】
2015139088.tif 000003
【図２】
2015139088.tif 000004
【図３】
2015139088.tif 000005
【図４】
2015139088.tif 000006
【図５】
2015139088.tif 000007
【図６】
2015139088.tif 000008
【図７】
2015139088.tif 000009
【図８】
2015139088.tif 000010
【図９】
2015139088.tif 000011
【図１０】
2015139088.tif 000012
【図１１】
2015139088.tif 000013
【図１２】
2015139088.tif 000014
【図１３】
2015139088.tif 000015
【図１４】
2015139088.tif 000016
【図１５】
2015139088.tif 000017
【図１６】
2015139088.tif 000018
【図１７】
2015139088.tif 000019